(57)【特許請求の範囲】
【請求項１】
光源から利用可能な複数の色相の光を前記光源により放射できる異なる色の複数の発光ダイオードを有する前記光源が発生する光の色相を制御するための制御デバイスであって、
前記制御デバイスは、前記光源の光に利用可能な複数の色相の１つ以上の色相と一致する１つ以上の色相を表示可能な色相選択表面と、前記光源の光の色相を選択するときに、前記色相選択表面と前記制御デバイスのユーザーとの間の相互作用を検出するための相互作用検出手段と、を備え、前記色相選択表面は、前記光源の光に利用可能な複数の色相の１つ以上の色相と一致する１つ以上の色相を表示可能な複数の発光素子を備え、前記相互作用検出手段は、前記ユーザーによる、前記表示されている１つ以上の色相のうちの少なくとも１つの選択を検出可能であり、前記制御デバイスは、前記色相選択表面に前記利用可能な色相のうち第１部分に一致する色相の第１部分を表示し、前記第１部分に次いで、前記利用可能な色相のうち第２部分に一致する色相の第２部分を表示し、よって利用可能な色相の前記第２部分に一致する色相の第２部分の少なくとも一部が、利用可能な色相の前記第１部分に一致する色相の第１部分の少なくとも一部に置き換わるように、前記発光素子を制御可能な制御手段を備える、制御デバイス。
【請求項２】
前記制御デバイスは、前記色相選択表面に前記光源の光に利用可能な複数の色相のうち前記１つ以上の色相と一致する１つ以上の色相の少なくとも１つのサブセットを表示するように、前記発光素子を制御するための制御手段を備え、前記相互作用検出手段は、前記サブセットの色相の選択を検出可能である、請求項１に記載の制御デバイス。
【請求項３】
前記制御デバイスは、前記色相選択表面に前記光源の光に利用可能な複数の色相のうち前記１つ以上の色相と一致する１つ以上の色相の前記少なくとも１つのサブセットを表示するように、前記発光素子を制御するための前記制御手段をアクティブにするための活性化手段を備える、請求項２に記載の制御デバイス。
【請求項４】
前記制御デバイスは、前記ユーザーと前記色相選択表面との間の相互作用の時間長さを検出するための時間長さ検出手段を備え、前記制御手段は、前記検出された時間長さに応じて前記色相選択表面に、前記光源の光に利用可能な複数の色相のうち前記１つ以上の色相と一致する１つ以上の色相の前記サブセットを表示するように、前記発光素子を制御可能である、請求項２に記載の制御デバイス。
【請求項５】
前記制御デバイスは、前記ユーザーと前記色相選択表面との間の相互作用の速度を検出するための速度検出手段を備え、前記制御手段は、前記検出された速度に応じて前記色相選択表面に、前記光源の光に利用可能な複数の色相のうち前記１つ以上の色相と一致する１つ以上の色相の前記サブセットを表示するように、前記発光素子を制御可能である、請求項２に記載の制御デバイス。
【請求項６】
前記相互作用検出手段は、前記色相選択表面に前記光源の光に利用可能な複数の色相のうち前記１つ以上の色相と一致する１つ以上の色相からの色相の選択を検出可能であり、前記制御デバイスは、前記選択された色相に対応する前記色相選択表面に、前記光源の光に利用可能な一連の彩度レベルのうち１つ以上の彩度レベルと一致する少なくとも一連の利用可能な彩度レベルを表示するように、前記発光素子を制御するための制御手段を備え、前記相互作用検出手段は、前記光源の光に利用可能な前記一連の彩度レベルのうち前記１つ以上の彩度レベルと一致する彩度レベルからの１つ以上の彩度レベルの選択を検出可能である、請求項１に記載の制御デバイス。
【請求項７】
前記制御デバイスは、前記ユーザーと前記色相選択表面との間の相互作用の速度を検出するための速度検出手段を備え、前記制御手段は、前記検出された速度に応じ、前記光源の光に利用可能な前記一連の彩度レベルのうち前記１つ以上の彩度レベルと一致する利用可能な彩度レベルの前記１つ以上の彩度レベルを表示するように、前記発光素子を制御可能である、請求項６に記載の制御デバイス。
【請求項８】
前記色相選択表面は選択表面部分を備え、前記制御手段は、前記色相選択表面と前記ユーザーとの間の前記相互作用に応答し、前記選択表面部分に、選択された色相を表示するように、前記発光素子を制御可能である、請求項１に記載の制御デバイス。
【請求項９】
前記制御デバイスは、前記発光素子のうちの１つ以上を覆うように配置された拡散プレートを備える、請求項１に記載の制御デバイス。
【請求項１０】
前記色相選択表面は、単一の色相および前記色相の数個の彩度レベルを表示可能である、請求項１に記載の制御デバイス。
【請求項１１】
前記色相選択表面は、ＣＩＥ黒体軌跡（ＢＢＬ）に実質的に対応する複数の白色表面部分を表示するか、またはこれらを表示可能である、請求項１に記載の制御デバイス。
【請求項１２】
前記色相選択表面はリング状の表面を備える、請求項１に記載の制御デバイス。
【請求項１３】
前記制御デバイスは、更に前記光源の光に利用可能な彩度レベルを選択できるように、前記光源の光に利用可能な前記１つ以上の彩度レベルと一致する１つ以上の彩度レベルを表示可能な彩度選択表面を備える、請求項１に記載の制御デバイス。
【請求項１４】
前記相互作用検出手段は、前記光源の光に利用可能な前記１つ以上の彩度レベルと一致する前記１つ以上の彩度レベルを選択するときに、前記彩度選択表面と前記制御デバイスのユーザーとの間の相互作用を検出可能である、請求項１３に記載の制御デバイス。
【発明の詳細な説明】
【技術分野】
【０００１】
本発明は、一般に光源に関し、より詳細には、光源から発生される光の色、特に前記光源から発生される光の色相を制御するための制御デバイスに関する。
【背景技術】
【０００２】
例えばリビングルームに所定の雰囲気を形成するための周辺照明装置のいくつかのタイプでは広く光源が使用されている。これら光源は、異なる色を発生できる複数の発光ダイオード（ＬＥＤ）をますます備えるようになっている。他のタイプの光源のうちでもＬＥＤを使用する光源では、かかる光源が発生する光の色を制御することが可能となっている。
【発明の開示】
【発明が解決しようとする課題】
【０００３】
光源をオンオフに切り換えるボタンおよび減光制御手段は、光源のほとんどのユーザーにとってなじみのあるものである。しかしながら、光源が発生する光の色を変えられるということは多くの人にとって新しいことであるので、これら光源のための、使用が容易で、かつ直感的に分かりやすい制御デバイスが必要である。
【０００４】
本発明の目的は、光源から発せられる光の色を制御するための、操作が容易かつ直感的に分かりやすい制御デバイスを提案することにある。
【課題を解決するための手段】
【０００５】
本発明は、請求項１に記載の制御デバイスを提供するものである。
【０００６】
相互作用検出手段は、機械的検出手段（例えば圧力センサ）、電気的検出手段（例えば容量センサ）、光学的検出手段（例えば視覚センシング）またはこれらの組み合わせを含むことに留意すべきである。
【０００７】
本発明では、光源が発生する光の色と発光素子によって発生される光の色との優れた一致が得られるという利点が得られる。更に、暗闇において制御デバイスを操作する間、制御デバイスの発光素子を見ることができる。また、利用可能な色相の予めプリントされたレンジと対照的に、発光素子の色が、周辺の光の条件によって悪影響を受けることはない。
【０００８】
発光素子を色相選択表面の一体的な部分としてもよいし、色相の実際の選択を行う選択表面の近くに配置してもよいと理解すべきである。すなわち色相選択表面は、色相を選択するためのこの選択表面と、発光素子を収納する領域とを備える。
【０００９】
利用可能な色相を表示する発光素子を有する実施形態は、ユーザーが所望の色相を正確に選択することが困難となるくらい多数の利用可能な色相を含み得る。従って、請求項２乃至５に記載の発明の実施形態は、制御デバイスのためのズーム機能を提供している。
【００１０】
請求項６に記載の発明の実施形態では、単一の色相選択表面が、単なる、完全に飽和した（純色の）フルスペクトルの色相選択表面の代わりに、多数のスペクトルを表示できるという利点が得られる。請求項７に記載の有利な実施形態では、ユーザーと色相選択表面との間の相互作用に応じたトリガーにより（例えば色相選択表面上を移動するユーザーの指の速度を検出することにより）、色相選択表面で異なるスペクトルを選択できる。当然ながら、請求項１１および１２に記載のように、色相選択表面は、種々の程度の彩度での単一の色相、または黒体軌跡（black body line）のみを（発光素子で）表示することもできる。
【００１１】
請求項８に記載の本発明の実施形態は、光源の一部の光に対して利用可能な色相のレンジの表示を提供するものである。従って、この実施形態は限られた寸法の色相選択表面で複数の利用可能な色相から、どのように所望する色相を選択するかに関する別の解決案を提供できる。
【００１２】
請求項９に記載の本発明の実施形態は、色相選択表面の同じ部分に、選択された色相を常に表示できるようにする。色相選択表面上でユーザーが指を移動することは、ユーザーが、より慣れている機械的なノブを取り扱うことを示唆する。
【００１３】
請求項１０に記載の本発明の実施形態には、色相の利用可能なレンジを、連続したレンジとして表示しながら、発光素子の数を限定できるという利点がある。
【００１４】
請求項１３に記載の本発明の実施形態には、光源のための利用可能な色相を表示できると共に、ユーザーが自然かつ連続的に相互作用できる連続的な表面が得られるという利点がある。
【００１５】
請求項１４および１５に記載の本発明の実施形態には、彩度の選択を制御できるという利点がある。
【００１６】
請求項のいくつかの要旨またはそれらの特徴を組み合わせることができると理解すべきである。
【００１７】
以下、本発明の好ましい実施形態を略図で示す添付図面を参照し、本発明について更に説明する。本発明は、これら特定の好ましい実施形態に何ら限定されるものでないことが理解できよう。
【発明を実施するための最良の形態】
【００１８】
図１は、異なる色の光Ｌを光源２が発生できるようにする、異なる色の複数の発光ダイオード（ＬＥＤ）３を備える光源２を制御するのに、制御デバイス１が使用されている略図である。制御デバイス１による光源２の制御は、無線または有線（図示せず）のいずれかで行うことができる。
【００１９】
特に本発明の一実施形態に係わる制御デバイス１は、光源２の光Ｌの色相Ｈを制御するように構成されている。光Ｌの色は、当技術分野で周知のように、光Ｌの色相Ｈと、彩度Ｓとの組み合わせとして定義できる。光Ｌの色相Ｈは、支配的な波長を示し、一方、光Ｌの彩度Ｓは、発生される光Ｌにおける色相の優勢度を示す。すなわち、彩度Ｓとは、発生される光の色におけるすべての波長に対する支配的な波長の比である。特定の色相Ｈにおける１００％の彩度Ｓは、「純粋な」色相Ｈを示すことができる。
【００２０】
図２Ａは、ホイール１０の外周に配置された純色（saturated color）の緑色（Ｇ）、黄色（Ｙ）、赤色（Ｒ）、マゼンタ（Ｍ）、青色（Ｂ）およびシアン（Ｃ）を有するカラーホイール１０を示す。完全なカラーホイール１０を提供するために、さらなる（第３の）純色を追加してもよいと理解すべきである。色相のディメンジョンは、利用可能な色相Ｈを示すカラーホイール１０の周辺長さによって定められる。他方、カラーホイール１０の彩度ディメンジョンは、１００％（周辺）から０％（カラーホイール１０の中心）までの彩度Ｓを示す径方向によって定められる。明らかに、カラーホイール１０は、複数の色相／彩度の組み合わせを提供している。
【００２１】
図２Ｂは、ＣＩＥ表示と一般に称されるカラースペースの周知の表示１１である。周辺は再び色相Ｈを示し、一方、外側から内側への方向は彩度Ｓを示す。再びＣＩＥ表示１１は、複数の色相／彩度の組み合わせを定めていることが明らかとなろう。光源２からの人工光は、全レンジの色相Ｈおよび彩度Ｓをカバーできないので、実質的に利用可能な色相／彩度の組み合わせを定めるのに、実際には限られた領域１２（しばしばガムートと称される）が描かれている。このガムート１２の形状およびサイズは、ＣＩＥ表示１１内のＬＥＤ３の位置によって決定される。
【００２２】
光Ｌの第３の特性（すなわち、輝度）は、カラーホイール１０またはＣＩＥ表示１１のいずれにも表示できないと理解すべきである。光Ｌの輝度または定量的な値は、光の全体の強度又は強さを示す。制御デバイス１は同じように、所望する輝度を選択可能にできる。
【００２３】
図３Ａ−図３Ｃは、制御デバイスの略図である。
【００２４】
図３Ａでは、本発明の実施形態ではないが、制御デバイス１は、光源２の光Ｌに対して利用可能な複数の色相Ｈを表示する色相選択表面２０を有する。この色相選択表面２０は、光Ｌに対する複数のプリントされた利用可能な色相Ｈを表示する。制御デバイスは、更に相互作用検出手段２１（点線ボックスで表示）および制御手段２２（破線ボックスで表示）を有し、これら手段は相互に接続されている。相互作用検出手段２１は、前記光源２の光Ｌにおける色相Ｈを選択する際の、色相選択表面２０と制御デバイス１のユーザーとの間の相互作用を検出できる。相互作用検出手段２１は、例えば、機械式検出手段（例えば圧力センサ）、電気的検出手段（例えば容量センサ）、光学的検出手段（例えば視覚センシング）またはこれらの組み合わせを含むことができる。制御手段２２は、相互作用検出手段２１から得られた信号を登録し、後により詳細に説明するように、１つ以上の作動を実行できる。
【００２５】
図３Ｂでは、制御デバイス１は、光源２の光Ｌに対して利用可能な複数の色相Ｈを表示する色相選択表面２０を有する。図３Ａのプリントされた色相Ｈを備えた色相選択表面２０を有する制御デバイス１と対照的に、複数の発光素子２３（本例では例えば発光ダイオード（ＬＥＤ））により、光源２の光Ｌにおいて利用可能な色相Ｈが提供される。従って、発光素子２３は異なる色の光を発光できる。拡散プレート（図示せず）が、利用可能な色相Ｈの連続的なレンジを示すのに役立ち、この拡散プレートから色相選択表面２０で選択を行うことができる。適当なＬＥＤが、例えばＣＯＴＣＯから入手可能である。
【００２６】
制御デバイス１は、再び相互作用検出手段２１（点線ボックスで表示）および制御手段２２（破線ボックスで表示）を備え、これら手段は相互に接続されている。相互作用検出手段２１は、前記光源２の光Ｌにおける色相Ｈを選択する際の、色相選択表面２０と制御デバイス１のユーザーとの間の相互作用を検出できる。相互作用検出手段２１は、例えば機械式検出手段（例えば圧力センサ）、電気的検出手段（例えば容量センサ）、光学的検出手段（例えば視覚センシング）またはこれらの組み合わせを含むことができる。制御手段２２は、相互作用検出手段２１から得られる信号を登録し、後により詳細に説明するように、１つ以上の作動を実行できる。制御手段２２は更に発光素子２３を制御できる。
【００２７】
発光素子２３は、色相選択表面の一体的部分でもよいし、または図３Ｃに示されるように、色相の実際の選択を行う選択表面２４の近くに配置してもよい。かかる実施形態では、色相選択表面２０は、色相を選択するためのこの選択表面２４と、発光素子２３を収納する領域とを備える。
【００２８】
図３Ａ−図３Ｃに示されるように、色相選択表面２０はリング形状の表面であることが好ましい。しかしながら、三角形の表面、楕円表面など（これら形状だけに限定されない）を含む他の形状も、本発明の範囲に入ると理解すべきであり、更に色相選択表面は必ずしも平らでなくてよいと理解すべきである。
【００２９】
操作時にユーザーは、図３Ａ〜３Ｃの制御デバイスを操作して、色相選択表面２０上の所望する色相Ｈを選択することにより、光源２の光Ｌを制御することができる。利用可能な色相Ｈが、色相選択表面２０に発光素子２３により表示される（図３Ｂ）。例えば、色相選択表面２０上で、所望の色相Ｈに対応する位置に指で触れることによって所望の色相Ｈを選択できる。この相互作用は、例えば容量センサを使用する相互作用検出手段２１により検出される。相互作用検出手段２１は、選択した位置を制御手段２２に送り、次に制御手段２２は、色相選択表面上に表示された色相Ｈに対応する特定の色相Ｈに、その選択された位置を関連させる。この目的のために、制御手段２２は、ルックアップテーブルを使用できる。その後、光源２の光Ｌが所望する選択された色相Ｈとなるように選択された色相Ｈを光源２へ送る。ユーザーが光源２の光Ｌに対して別の色相Ｈを望む場合、ユーザーは自分の指により色相選択表面２０上で所望の色相を単に選択するだけでよい。
【００３０】
従って、本発明の制御デバイス１は、利用可能な色相Ｈを表示している色相選択表面２０と相互作用するだけで、ユーザーが光源２の光Ｌの所望する色相Ｈを選択することを可能にしている。従って、容易かつ直感的に分かりやすく制御デバイス１を操作できる。
【００３１】
この色相選択表面２０は、光Ｌの多数の利用可能な色相Ｈを表示できると理解しなければならない。図４Ａの実施形態では、色相選択表面２０は光源２に対して利用可能な１２８種類の色相Ｈ０−Ｈ１２７を表示する。リング状の色相選択表面２０の寸法が限られている結果、隣接する色相Ｈは、互いに接近して表示されるので、所望する特定の色相Ｈを選択することが困難である。代表的には、制御デバイス１の長さの寸法および幅の寸法は、１０〜１００ｍｍの範囲である。しかしながら、例えばノートブックのタッチスクリーンまたは平面スクリーンタブレットの２０〜３０ｃｍの範囲のより大きなディスプレイで本発明を実施することもできる。以下に説明する本発明の実施形態は、所望する特定の色相Ｈの選択を容易にするよう、ユーザーが色相選択表面２０上でズームイン操作できるようにするものである。ズーム比を調節することができ、より大きいズームでは、より精密な選択が可能であるが、より小さいズームでは色相選択表面２０上に広いズームレンジを表示することが可能となる。
【００３２】
図３Ａの制御デバイス１（プリントされた色相選択表面２０）では、ズーム機能を実行でき、利用可能なプリントされた色相のサブセットを、色相選択表面２０に割り当てできる割り当て手段２５が制御デバイス１に設けられている。色相Ｈをおおまかに選択した後に、割り当て手段２５は、フル色相選択表面２０に予想される色相に近い複数の色相Ｈを割り当てるだけでよい。割り当てられる色相の数は、予めプログラムすることができる。この数は、光Ｌに対して利用可能な色相Ｈの総数よりも少ないので、割り当てられる各色相Ｈに対する面積は、より広くなる。こうして色相選択表面２０で所望する色相Ｈを正確に選択することが容易となる。図３Ａにおける色相選択表面２０上には、光源２の光Ｌに対して利用可能な色相Ｈがプリントされているので、ユーザーは割り当てられた色相を色相選択表面２０で実際に見ることはできない。しかしながら、光源２自体を直接見ることにより、割り当てられた色相Ｈを選択した効果を観察できる。
【００３３】
操作時に、ユーザーは、図４Ａに示されるような、利用可能なすべての色相Ｈ０〜Ｈ１２７の選択を当初可能にする色相選択表面２０上で、例えば色相Ｈ４５を選択できる。この選択後、割り当て手段は色相選択表面２０に色相Ｈ３５−Ｈ５５だけのサブセットを割り当てる。次にユーザーは光源２を見て、色相選択表面２０と相互作用することにより、例えば色相Ｈ４７を選択できる。色相Ｈ４５の選択および色相Ｈ４７の選択の双方が、相互作用検出手段２１により検出される。割り当て手段２５は、色相Ｈ４７を選択するための面積を、図４Ａの当初の色相選択表面２０での色相Ｈ４７の面積よりも広げている。
【００３４】
図３Ａ−図３Ｃに示される時間長さ検出手段２６により、ユーザーの指と色相選択表面２０との相互作用の時間長さが検出されると、色相選択表面２０にサブセットＨ３５〜Ｈ５５を割り当てできる。例えばユーザーは、まず自分の指先で色相選択表面を触れることにより、色相Ｈ４５を選択できる。このように、色相選択表面２０を見ながら、所望する色相Ｈを変えるために大きいステップをとることができる。所望する色相Ｈ４７への微細なチューニングを行うため、指先は、より長い時間、色相選択表面２０と接触した状態に保たれる。指先と色相選択表面との間の接触が、例えば１秒の所定の時間より長く維持されると、割り当て手段２５は、色相Ｈ３５−Ｈ５５のサブセットを色相選択表面２０に割り当てる。こうして、利用可能な色相のサブセットの割り当ては、相互作用の検出された時間長さに応じる。次に色相選択表面上で指先が移動された場合、リング状色相選択表面２０上で指先を完全に回転することにより、光源２の光Ｌに対する色相Ｈ３５−Ｈ５５のうちの１つ（例えばＨ４７）の選択を行うことができる。
【００３５】
上記とは異なり、または上記に加え、ユーザーと色相選択表面２０との間の相互作用速度を検出できる速度検出手段２７を使って、色相選択表面への利用可能な色相Ｈのサブセットの割り当てをトリガーしてもよい。このような特徴は、速度依存ナビゲーションを提供する。スレッショルド速度を越える速度にて、色相選択表面２０上でユーザーの指先が移動された場合、元々のプリントされた利用可能な色相Ｈ０〜Ｈ１２７に対応して、色相Ｈが変化する。指先の速度がスレッショルドよりも遅い場合、色相選択表面２０へ色相Ｈのサブセットを割り当て、ユーザーが色相選択表面２０との相互作用中に光源２を見ると、ユーザーには色相Ｈが徐々に変化するのが見える。換言すれば、利用可能な色相のサブセットの割り当ては、相互作用の検出速度に依存する。
【００３６】
発光素子２３が使用されている、図３Ｂおよび図３Ｃに示されるような本発明の実施形態は、ズーム機能が、制御デバイス１自体における利用可能な色相Ｈの表示に影響を与えることを可能にする。制御デバイス１の制御手段２２は、前記色相選択表面２０に利用可能な色相Ｈの少なくとも１つのサブセットを表示するように、発光素子２３の制御を行うことができ、相互作用検出手段２１は、このサブセットから色相Ｈの選択を検出できる。
【００３７】
一実施形態では、制御デバイス１は、前記色相選択表面２０にサブセットを表示するように発光素子２３を制御するべく、制御手段２２をアクティブにするための活性化手段２８を含む。例えばユーザーはまず、色相Ｈ４５を選択し、次に活性化手段２８を操作する。次に制御手段２２は、図４Ｂに示されるように、色相選択表面２０上に色相Ｈ３９−Ｈ５０を表示するように、発光素子２３を制御する。その後、ユーザーは所望する色相（例えばＨ４７）を選択できる。
【００３８】
ズーム機能は、必ずしも専用活性化手段によってトリガーされなくてもよいことに留意すべきである。図３Ａの制御デバイスと同じように、このズーム機能は時間長さ検出手段２６または速度検出手段２７によってもトリガーできる。更に、図３Ａのプリントされた色相選択表面２０と対照的に、利用可能な色相Ｈのサブセットを得るためのズーム機能は、図３Ｂおよび図３Ｃの実施形態における発光素子２３によって視覚化される。
【００３９】
このズーム機能は、いくつかの方法、例えば専用リセットボタンを使用するか、または色相Ｈを仮想的に混合するように、色相選択表面２０上で指を高速で移動させることによってもリセットできる。
【００４０】
図５Ａ−図５Ｃには、ユーザーが所望する色相を正確に選択できるようにしながら、色相選択表面２０上で多数の利用可能な色相Ｈを表示するための別の実施形態が示されている。色相選択表面２０上で光Ｌに対して利用可能な色相Ｈの全セットのうちの一部だけを表示するように、制御手段２２は発光素子２３を制御できる。図５Ａ−図５Ｃでは、利用可能な色相の全セットはＨ０〜Ｈ３５までの範囲である。このセットは３つの部分Ｈ０〜Ｈ１１、Ｈ１２〜Ｈ２３およびＨ２４〜Ｈ３５に分割されている。
【００４１】
操作時にユーザーは、自分の指先を色相選択表面２０に接触させる。次にユーザーは、色相Ｈ０〜Ｈ１１のうちの１つを選択する。ユーザーが自分の指先を回転させ続けた場合、図５Ｂに示されるように、最初の部分Ｈ０〜Ｈ１１は、第２部分Ｈ１２〜Ｈ２３に置換される。２回目の回転の後に、図５Ｃに示されるように、第２部分は第３部分Ｈ２４〜Ｈ３５に置換される。従って、わずか３回だけ回転させると、再び図５Ａの最初の部分Ｈ０〜Ｈ１１が表示される。この機能は、この方式に従って色相Ｈの光を発光させるよう、発光素子２３を制御する制御手段２２と相互作用検出手段２１の協働によって達成できる。利用可能な色相の部分全体を一度に置換する代わりに、後の部分の一部が前の部分の一部と置き換わるようにしてもよい。例えばユーザーの指先が色相Ｈ０を通過した後、通過したその位置に色相Ｈ１２を表示し、一方、色相選択表面２０上のまだ通過されていない位置には、Ｈ１〜Ｈ１１を引き続き表示するようにできる。当然ながら、Ｈ０をすぐにＨ１２に置換する必要はない。例えばユーザーの指先がＨ５からＨ６に移動したときに、Ｈ０をＨ１２に置換してもよい。
【００４２】
図３Ｂおよび図３Ｃに示される制御デバイスの発光素子２３を使って、ユーザーに対してさらなる色選択の可能性を提示することもできる。
【００４３】
制御デバイス１は、例えば光源２によって発光すべき光Ｌの色相Ｈと彩度Ｓの双方を選択可能としてもよい。かかる制御デバイス１は次のように作動できる。（可能な場合には、上記実施形態のうちの１つによるズーミングを使用することにより）所望する色相Ｈの選択後に、色相選択表面２０は、図６に示されるように、光Ｌに対する一連の利用可能な彩度Ｓを表示できる。頂部のセグメントは、Ｈ４７として示された所望する完全に飽和した色相を示す。色相Ｈ４７が完全に飽和状態となると、この色相は彩度Ｓ１００を示す。その他のセグメントは、色相Ｈ４７に対して利用可能な一連の彩度レベル（Ｓ０....Ｓ９０と示される）を表示する。これら利用可能な彩度レベルは、制御手段２２が指示するように、発光素子２３により色相選択表面に表示される。所望の彩度Ｓの選択は、相互作用検出手段２１によって検出してもよい。例えばユーザーと色相選択表面２０との間の相互作用の速度を検出することにより、色相選択から彩度選択への切り換えをトリガーしてもよい。高速の移動を所望の色相Ｈの選択に関連づけ、低速の移動を選択されたＨに対する所望の彩度Ｓの選択に関連付けすることができる。色相選択に対してこれまで説明したズーム機能を、彩度Ｓの選択に対しても使用できると理解すべきである。
【００４４】
「白色」は、公式には色相とは認められていないが、本発明にかかわる制御デバイス１を使用して、光源２の光Ｌに対する白色のフレーバーを選択してもよい。図３Ａ−図３Ｃの制御デバイス１のうちの１つの色相選択表面２０上に、例えば「コールド（冷たい）白色」から「ウォーム（暖かい）白色」までの範囲の白色のこれらフレーバーを表示することにより、相互作用検出手段２１によって白色フレーバーの選択を検出できる。色相選択表面２０が、図２ＢのＣＩＥカラースペース内の黒体放射軌跡に従う種々の「白色」を表示する場合、色相選択表面２０上でのユーザーの指の回転が、日没から日中の光、更に日の出まで、またはこの逆の順の色変化を模倣してもよい。
【００４５】
前の実施形態では、色相選択表面２０の対応する位置にユーザーが指を触れることによって、色相Ｈが選択されていた。図７に示されるような本発明の実施形態は、別の選択が可能であることを示す。色相選択表面２０は、選択表面部分３０を含む。例えば発光素子２３が選択表面部分３０の外側よりも、より輝度の高い光を発生するように、この選択表面部分３０を設けてもよい。図７では、この部分は色相選択部分２０のグレー領域によって示されている。制御手段２２は、前記色相選択表面２０とユーザーとの間の相互作用に応答し、選択表面部分３０上に選択された色相Ｈを表示するように、発光素子２３を制御できる。
【００４６】
操作時にユーザーは自分の指を色相選択表面２０の上で回転することができる。制御手段２２は、色相選択表面上のユーザーの指Ｆの位置に対応する、異なる色相の光を発生するように、選択表面部分３０にある発光素子２３を制御する。これら位置は相互作用検出手段によって検出される。したがって、図７に示されるような色相選択表面２０による制御デバイス１の作動は、機械的なノブの回転に類似している。光源２の光Ｌは、選択表面部分３０内に表示された色相Ｈとなる。
【００４７】
制御デバイス１は、別個の色相選択表面２０と、彩度選択表面４０とを含むことができる。上記実施形態のいずれかに従い、色相選択表面２０を構成し、機能させることができる。彩度選択表面４０は特定の選択された色相Ｈに対して利用可能な彩度レベルＳを示すための発光素子（図示せず）を含むこともできる。コスト上の理由から、図８に示されるように彩度レベルＳがプリントされる。当然ながらかかる実施形態では、利用可能な彩度レベルＳは、選択された色相Ｈに適合しない。しかしながら、ユーザーが光源２に対する色相Ｈおよび彩度レベルＳの選択に、より精通するにつれ、ユーザーは彩度選択表面４０の機能を把握し、色相選択制御をする上でミスをしないようになる。彩度選択表面４０における彩度Ｓの選択を、色相選択表面における色相Ｈの選択に関して説明したように検出できる。相互作用検出手段２１を使って、彩度選択表面４０との相互作用を検出することができる。しかしながら、別個の、および／または異なる相互作用検出手段（図示せず）を同じように使用することもできる。彩度検出は、制御手段２２を使用することにより容易にすることができる。
【００４８】
特許請求の範囲において、括弧内に表示した参照符号は、特許請求の範囲を限定するものとみなしてはならない。「含む」または「備える」なる単語は、特許請求の範囲に記載した要素またはステップ以外の要素またはステップが存在することを排除するものではない。要素の前に記載した「１つの」または「ある」なる単語は、かかる要素が複数存在することを排除するものではない。所定の手段が相互に異なる従属項に記載されていることは、これら手段の組み合わせを有利に使用できないことを表示するものではない。
【図面の簡単な説明】
【００４９】
【図１】制御デバイスによって制御可能な光源を略図で示す。
【図２】図２Ａ及び図２Ｂはカラースペースを示す。
【図３】図３Ａ−図３Ｃは本発明の実施形態に係わる制御デバイスの略図である。
【図４】図４Ａ及び図４Ｂは本発明の一実施形態に係わる制御デバイスのための色相選択表面の略図である。
【図５】図５Ａ−図５Ｃは利用可能な色相の第１部分，第２部分，第３部分を示す色相選択表面の略図である。
【図６】本発明の一実施形態に係わる色相選択表面の略図である。
【図７】選択表面の部分を有する色相選択表面の略図である。
【図８】彩度選択表面を有する制御デバイスの略図である。
【符号の説明】
【００５０】
１  制御デバイス
２  光源
３  発光ダイオード
１０  カラーホイール
１１  カラースペース
２０  色相選択表面
２１  相互作用検出手段
２２  制御手段
２３  発光素子
２４  選択表面
【図１】
0005586154.tif 000002
【図２Ａ】
0005586154.tif 000003
【図２Ｂ】
0005586154.tif 000004
【図３Ａ】
0005586154.tif 000005
【図３Ｂ】
0005586154.tif 000006
【図３Ｃ】
0005586154.tif 000007
【図４Ａ】
0005586154.tif 000008
【図４Ｂ】
0005586154.tif 000009
【図５Ａ】
0005586154.tif 000010
【図５Ｂ】
0005586154.tif 000011
【図５Ｃ】
0005586154.tif 000012
【図６】
0005586154.tif 000013
【図７】
0005586154.tif 000014
【図８】
0005586154.tif 000015